(57)【特許請求の範囲】
【請求項１】
ＩＰネットワーク（１）の境界要素（２０、２１、２２）であり、該境界要素（２０、２１、２２）が、境界要素と接触する１つまたは複数の管理ドメイン（１から７）が解決することができるアドレスに関する情報を交換する制御ユニット（３０）を含み、少なくとも１つの管理ドメイン（１から７）が、ソフトスイッチ（１０）、またはサービス提供コールセッション制御機能部（１５）、および／またはメディアサーバ（１１）を含む、境界要素（２０、２１、２２）であって、
制御ユニット（３０）が、ＩＰネットワーク（１）のユーザのユーザ登録情報をキャッシュして、リンクが破壊された場合、またはソフトスイッチまたはサービス提供コールセッション制御機能部（１５）の負荷が軽減されるべき場合、ソフトスイッチ（１０）またはサービス提供コールセッション制御機能部（１５）なしに、キャッシュされたユーザ登録情報を使用して、ローカルコールセッション制御をスタンドアローンのローカル交換機能として実行することによって、ソフトスイッチ、またはサービス提供コールセッション制御機能部、および／またはメディアサーバの１つまたは複数の機能を実行するようにさらに構成されることを特徴とする境界要素（２０、２１、２２）。
【請求項２】
制御ユニット（３０）が、ＩＰネットワーク（１）において実行される緊急コールを扱うように構成されることを特徴とする、請求項１に記載の境界要素。
【請求項３】
制御ユニット（３０）が、第３世代パートナーシッププロジェクトによるＩＰマルチメディアサブシステム（１）におけるプロキシコールセッション制御機能部の機能を提供するように構成されることを特徴とする、請求項１に記載の境界要素。
【請求項４】
制御ユニット（３０）が、トーンおよび／またはコール告知を再生するための組み込まれたメディアリソース機能を実行するように構成されることを特徴とする、請求項１に記載の境界要素。
【請求項５】
制御ユニット（３０）が、コーデック調停を実行するように構成されることを特徴とする、請求項１に記載の境界要素。
【請求項６】
制御ユニット（３０）が、ＩＰネットワーク（１）において実行されるコールに関連するコール詳細レコードをセットアップするように構成されることを特徴とする、請求項１に記載の境界要素。
【請求項７】
制御ユニット（３０）が、ＩＰネットワーク（１）を介して提供されるコネクション型通信サービスに関する情報を交換するように構成されることを特徴とする、請求項１に記載の境界要素。
【請求項８】
制御ユニット（３０）が、ＩＰネットワーク（１）を介して転送されなければならないストリームメディアデータ、特にＶｏＩＰデータを受信することを特徴とする、請求項１に記載の境界要素。
【発明の詳細な説明】
【技術分野】
【０００１】
本発明は、ネットワークサービス、ならびにネットワークリソースの最適化に関し、特に、インテリジェント境界要素に関する。
【背景技術】
【０００２】
既存のＰＳＴＮ通信システムとは異なり、次世代ネットワーク（ＮＧＮ）は、ソフトスイッチ、メディアゲートウェイコントローラ、メディアゲートウェイ、ＳＩＰ電話機、ＳＩＰプロキシなどのような、多くの新たなデバイスから成る（ＰＳＴＮ：公衆交換電話網、ＳＩＰ：セッション開始プロトコル）。例えば、ＩＭＳのような、ＮＧＮのための境界要素は、アクセスネットワークとコアネットワークとの間のゲートウェイである（ＩＭＳ：ＩＰマルチメディアサブシステム、ＩＰ：インターネットプロトコル）。境界セッションコントローラとしても知られる境界要素には、普通、ＶｏＩＰネットワークにおけるシグナルトラフィックおよびメディアトラフィックが任せられる（ＶｏＩＰ：Ｖｏｉｃｅ  ｏｖｅｒ  ＩＰ）。
【０００３】
境界要素は、ＩＰネットワーク境界を越えるリアルタイムの対話型通信の制御、つまり、音声セッション、ビデオセッション、およびマルチメディアセッションの制御をサポートする。境界要素の従来の機能は、ファイアウォール／ＮＡＴ（アプリケーション認識）、サービスレイヤ合意保証、ＱｏＳ、正当な代行受信のためのセッションおよびメディアのレプリケーションおよびルーティングである（ＮＡＴ：ネットワークアドレス変換、ＱｏＳ：サービス品質）。
【０００４】
プライベート境界セッションコントローラが、ファイアウォールとともに使用されて、保護された企業ネットワークへのＶｏＩＰコール、およびそのようなネットワークからのＶｏＩＰコールを可能にする。公共ＶｏＩＰサービスプロバイダは、境界セッションコントローラを使用して、ＮＡＴを使用するインターネット接続を有するプライベートネットワークからのＶｏＩＰプロトコルの使用を可能にする。
【０００５】
ＳＩＰ環境におけるＮＡＴトラバースは、ＳＩＰコールが、２つのネットワーク間の境界におけるＮＡＴデバイスを横断することに成功する能力である。ＮＡＴデバイスの横断は、ＳＩＰ、およびその他のＶｏＩＰプロトコルが、公共ネットワークにおいて展開されるとすれば、克服しなければならない問題である。ＮＡＴデバイスは、それらのデバイスの背後に位置するクライアントに関して、別個のアドレス範囲を作成し、すなわち、ＳＩＰコールセットアップメッセージが含むアドレスは、公共ネットワークにおいて解決されることが可能でない。
【０００６】
境界セッションコントローラは、ＰＳＴＮが、今日、提供するＶｏＩＰに関する同一の遍在性、品質、およびセキュリティを、ただし、ＩＰが可能にする、より柔軟性があり効率的で経済的な形で可能にする可能性を有する。
【０００７】
ほとんどの国において緊急コールを開始することは、ほとんどの欧州の国々における１−１−２、または米国における９−１−１などの、発呼者が位置している現在の地域とは無関係の固有の電話番号をダイヤル呼び出しすることを意味する。電話プロバイダは、最寄りの警察などの、適切な地域援助エンティティへの緊急コールの自動ルーティングを確立する。今日、ほとんどのＶｏＩＰサービスは、限られた緊急コール能力を有して、サービスギャップを生じさせている。さらに、ＩＰコアのコールセッションコントローラが、例えば、地震または爆発のために、故障している場合、緊急コールは、発することができない。
【非特許文献１】ＲＦＣ２７０５
【発明の開示】
【発明が解決しようとする課題】
【０００８】
本発明の目的は、改良された境界要素を提供することである。
【課題を解決するための手段】
【０００９】
本発明の目的は、ＩＰネットワークの境界要素によって達成され、境界要素は、境界要素と接触する１つまたは複数の管理ドメインが解決することができるアドレスに関する情報を交換する制御ユニットを含み、少なくとも１つの管理ドメインは、ソフトスイッチまたはサービス提供コールセッション制御機能部、および／またはメディアサーバを含み、制御ユニットは、ソフトスイッチまたはＳ−ＣＳＣＦ、および／またはメディアサーバの機能を実行するように構成される（Ｓ−ＣＳＣＦ：サービス提供コールセッション制御機能部）。
【００１０】
本発明の基本的な着想は、集中ＩＰネットワークコール制御エンティティから、かなりのＩＰコール制御を撤回して、それらの制御機能を分散された境界要素に割り当てて、ローカルコール制御を、境界要素に追加することである。本発明は、向上したネットワーク性能、ネットワーク容量、およびネットワーク利用可能性を可能にする境界要素を提供する。
【００１１】
したがって、本発明によるインテリジェント境界要素は、前述した従来の境界要素のタスクに加え、コール制御の新たな追加のタスクを含む。
【００１２】
ネットワーク性能に関する本発明の非常に重要な利点は、中央コール制御エンティティが、切断されたライン、またはエンティティ障害のためにアクセス可能でないケースにおいてさえ、利用可能性が高いことである。そのようなケースで、緊急コールを送受信することが、依然として可能である。
【００１３】
本発明による新たな機能を使用して、インテリジェント境界要素は、加入者情報なしに、ローカル交換局の能力を有する。インテリジェント境界要素は、ソフトスイッチまたはＳ−ＣＳＣＦへのユーザ登録情報のキャッシュを行う。その情報は、リンクが、破壊された場合、あるいはソフトスイッチまたはＳ−ＣＳＣＦの負荷が、軽減されるべき場合、ソフトスイッチまたはＳ−ＣＳＣＦなしに、ローカルコール制御を実行するために使用されることが可能である。したがって、ローカルコール制御は、向上したネットワーク利用可能性をもたらす。
【００１４】
コール制御のための単純な告知のためのメディアリソース機能が、ネットワークリソースを最適化することができ、前述したローカルコール制御のために必要である。
【００１５】
インテリジェント境界要素は、異なるネットワークのシームレスな接続のためのＩＭＳ、ネットワークリソースの最適化、向上したネットワーク容量、ならびにローカルコール制御機能を伴う向上したネットワーク利用可能性などの価値を、ＮＧＮに与える。
【００１６】
インテリジェント境界要素は、分散ネットワーク、モジュラネットワーク機能、および高いパフォーマンスが要求される、大型のＮＧＮ展開をサポートすることができる。インテリジェント境界要素は、緊急コールが、ＶｏＩＰネットワークを介して扱われることを可能にする問題解決法をもたらす。
【００１７】
さらなる利点は、従属請求項によって示される本発明の実施形態によって実現される。
【００１８】
本発明の好ましい実施形態によれば、境界要素の制御ユニットは、アクセスネットワークを発信元とし、ＩＰネットワークに送信される緊急コールを扱うように構成される。したがって、緊急コールの処理は、ソフトスイッチ、Ｓ−ＣＳＣＦ、あるいはＩＰネットワークのメディアサーバの利用可能性とは無関係になる。
【００１９】
本発明の好ましい実施形態によれば、制御ユニットは、第３世代パートナーシッププロジェクトによるＩＰマルチメディアサブシステムにおいて、プロキシコールセッション制御機能を提供するように構成される。Ｐ−ＣＳＣＦ（プロキシＣＳＣＦ）は、ＳＩＰメッセージを受け入れ、内部で処理し、転送するプロキシとして作用する。また、Ｐ−ＣＳＣＦは、ＵＡ（ユーザエージェント）として作用することも可能であり、すなわち、規則違反があった場合、ＳＩＰトランザクションが、中断されかつ再構築されることが可能である。Ｐ−ＣＳＣＦの機能は、例えば、セッション制御であり、すなわち、着信するＳＩＰメッセージのＩ−ＣＳＣＦ（呼び掛けＣＳＣＦ）またはＳ−ＣＳＣＦまたはＵＡへの転送、ＱｏＳ、緊急コールサポート、料金請求のためのコールの監視およびプロトコル処理、ＳＩＰメッセージの検証、圧縮、および伸張である。
【００２０】
好ましくは、制御ユニットは、ＩＰネットワークのユーザのユーザ登録データをキャッシュするように構成される。制御ユニットは、開始側の端末装置のアドレスを特定し、例えば、日付と時刻、端末装置を特定するデータ、通信プロトコル、その他のような、他の様々なデータに加えて、そのアドレスを、記憶ユニットに格納することをトリガする。
【００２１】
好ましい実施形態では、制御ユニットは、ローカルコールセッション制御を実行するように構成される。ローカル交換機能は、境界要素に組み込まれる。境界要素によってキャッシュされたユーザ登録情報の助けを借りて、ローカルコールは、例えば、Ｓ−ＣＳＣＦへの接続が失われた場合に、境界要素によって自律的に制御されかつ処理されることが可能である。したがって、境界要素は、全く遠隔ノードなしに、スタンドアロンのローカル交換局として作用することが可能である。
【００２２】
本発明による別の好ましい実施形態によれば、制御ユニットは、例えば、コール告知またはトーンを再生することのような、組み込まれたメディアリソース機能を実行するように構成される。告知に関するトリガイベントが生じた場合、境界要素は、そのトリガイベントに対応する告知をデータベースから取り出し、トリガイベントを生じさせている発呼者への告知の再生を開始する。メディアリソース機能を境界要素に組み込むことにより、ネットワークリソースが、最適化される。
【００２３】
通信データは、通信ラインを介して送信される前に符号化され、宛先エンドポイントに達する前に復号化される。使用されるコーデック（符号化／復号化）は、ドメインにおいて使用されるＶｏＩＰ技術に応じることができる。１つのドメインから別のドメインに通信データを送信する際、データのコーデックは、データの符号化が、宛先ドメインの符号化と適合するように調停されなければならない。好ましくは、制御ユニットは、コーデック調停を実行するように構成される。コーデック調停を介して、異なるネットワークのシームレスな接続が、提供される。
【００２４】
好ましくは、制御ユニットは、ＩＰネットワークにおいて実行されるコールに関連するコール詳細レコード（ＣＤＲ）をセットアップするように構成される。つまり、境界要素は、料金請求目的および管理目的で、成功したコールおよび失敗したコールイベントのレコードを集約するように構成される。このため、例えば、ＲＴＰストリーミングベースの料金請求を提供することが可能である（ＲＴＰ：リアルタイムトランスポートプロトコル）。
【００２５】
あるホストが、連続するストリームでデータを別のホストに送信することを可能にするタイプのトランスポートレイヤデータ通信サービスは、コネクタ型通信と呼ばれる。このタイプのトランスポートでは、すべてのデータが、送信されたのと同一の順序で、重複なしに、他方の終端まで伝送されることが保証される。コネクション型通信プロトコルの最も一般的な例が、伝送制御プロトコル（ＴＣＰ）である。本発明の別の好ましい実施形態によれば、制御ユニットは、ＩＰネットワークを介して提供されるコネクション型通信サービスに関する情報を交換するように構成される。
【００２６】
データネットワークは、データが、パケットで伝送されるコネクションレス型ネットワークの例である。コネクションレス型通信プロトコルの一般的な例は、インターネットプロトコル（ＩＰ）、およびユーザデータグラムプロトコル（ＵＤＰ）である。別の好ましい実施形態によれば、制御ユニットは、ＩＰネットワークを介して転送されなければならないストリーミングメディアデータ、特にＶｏＩＰデータを受信する。
【００２７】
本発明のこれら、およびさらなる特徴および利点は、添付の図面と併せて解釈される、現在、好ましい例示的な実施形態の以下の詳細な説明によってよりよく理解されよう。
【発明を実施するための最良の形態】
【００２８】
図１は、ＩＰコアネットワーク１によって表される分散ＩＰネットワークに基づくＮＧＮ通信ネットワーク１００を示す。
【００２９】
この通信ネットワーク１００のアーキテクチャは、２つの主なセクション、通信システムのユーザ間の通信接続を制御することを担う制御プレーンと、関連するメディアストリームのトランスポートを担うトランスポートプレーンとに分割される。トランスポートプレーンは、様々な異なるタイプの物理ネットワークによって、例えば、一般的なレベル３のＩＰプロトコルレイヤを介してリンクされたＡＴＭネットワークまたはＭＰＬＳネットワークによって形成されることが可能である（ＡＴＭ：非同期転送モード、ＭＰＬＳ：マルチプロトコルラベルスイッチング）。
【００３０】
通信ネットワーク１００の制御プレーンは、通信ネットワーク１００を介したメディアストリームのスイッチングおよびルーティングを担う、様々なメディアゲートウェイ、アクセスゲートウェイ、およびスイッチングノードを含む。そのようなメディアゲートウェイは、通信ネットワーク１００にリンクされた２つ以上の端末装置間の、音声通信、ファックス通信、またはビデオ通信などの、ストリーム様の通信をサポートする。さらに、そのようなメディアゲートウェイは、公衆交換電話網とＩＰベースのネットワークとの間における音声接続およびファックス接続のシームレスな動作をもたらすことができる。
【００３１】
アクセスネットワーク２から７が、境界要素２０、２１、２２を使用してＩＰコアネットワーク１に接続される。境界要素２０は、アクセスネットワーク２および３をＩＰコアネットワーク１に接続する。アクセスネットワーク２および３は、ＩＰ  ＰＢＸネットワーク２、およびブロードバンド（ＢＢ）アクセスネットワーク３を含む（ＩＰ  ＰＢＸ：インターネットプロトコル構内交換機）。境界要素２１は、アクセスネットワーク４および５をＩＰコアネットワーク１に接続し、アクセスネットワーク４および５は、ＩＰ  ＰＢＸネットワーク４およびブロードバンドアクセスネットワーク５を含む。境界要素２２は、アクセスネットワーク６および７をＩＰコアネットワーク１に接続し、アクセスネットワーク６および７は、ＩＰ  ＰＢＸネットワーク６およびＢＢアクセスネットワーク７を含む。
【００３２】
通信エンドポイント（図示せず）は、ライン、ならびにＤＳＬケーブルモデムなどのモデムを介してアクセスネットワーク２から７に接続された、電話機、ＩＰ電話機、３Ｇセル電話機、ＩＰソフトホン、企業が所有するＰＢＸおよびＩＰ  ＰＢＸ、デスクトップＰＣ、ＷｉＦｉアクセスＰＣ、その他であることが可能である（ＷｉＦｉ：ワイヤレスフィデリティ、ＤＳＬ：デジタル加入者線）。ＩＰ電話端末装置は、ＩＰ電話機、あるいはＩＰ電話クライアントを実行するコンピュータである。例えば、それらの端末装置は、ＳＩＰ電話機、あるいはＳＩＰクライアントを実行するコンピュータである。さらに、ＩＰ電話端末装置は、レジデンシャルゲートウェイ、統合アクセスデバイス（ＩＡＤ）、または組み込みメディア端末装置デバイス（ｅＭＴＤ）を介して、通信ネットワーク１に接続された端末装置であることが可能である。そのようなレジデンシャルゲートウェイは、ＬＡＮ環境または無線ＬＡＮ環境とＩＳＤＮインタフェースとの間の接続を提供する。そのような統合アクセスデバイスまたは組み込みメディア端末デバイスは、ＬＡＮ環境または無線ＬＡＮ環境とＤＳＬケーブルモデムとの間の接続を提供する。さらに、ＩＰ電話端末装置は、プライベートネットワークのアクセスノードまたはアクセスゲートウェイを介して、通信ネットワーク１に接続されることが可能である。
【００３３】
境界要素２０、２１、２２は、シグナル要素とメディア要素に物理的に分けられることが可能である。境界要素は、ＩＭＳコアに基づく統合ネットワークを構築する不可欠な一部である。境界要素２０、２１、２２は、ＩＰコアネットワーク１の端に位置して、シグナルストリームおよびメディアストリームが、ＩＰネットワーク１を出入りする際に、シグナルストリームおよびメディアストリームを制御する。企業ネットワーク２、４、および６は、場合により、境界要素２０、２１、２２に組み込まれる、ＮＡＴ／ファイアウォールを使用して、ＩＰコアネットワーク１から保護されることが可能である。
【００３４】
ＩＰネットワーク１は、ソフトスイッチ１０、メディアサーバ１１、ホーム加入者サーバ１３、Ｉ−ＣＳＣＦ１４、およびＳ−ＣＳＣＦ１５をさらに含む。ソフトスイッチ１０は、ＩＥＴＦおよびＩＴＵ−Ｔ（Ｈ．２４８．１）によってサポートされる、ＩＰ電話に関連するコール制御サーバである（ＩＥＴＦ：インターネットエンジニアリングタスクフォース、ＩＴＵ−Ｔ：国際電気通信連合−電気通信標準化部門）。ソフトスイッチ１０は、メディアゲートウェイの制御のために使用される。ソフトスイッチ１０は、Ｈ．３２３およびＳＩＰプロトコルを使用したコールシグナリングとは無関係に機能し、ＶｏＩＰ接続の確立のために使用される。メディアゲートウェイ制御の背景は、ＲＦＣ２７０５で詳細に説明されている。
【００３５】
ソフトスイッチ１０およびＳ−ＣＳＣＦ１５は、１つまたは複数の互いに接続されたコンピュータ、そのハードウェアプラットフォーム上で実行されているソフトウェアプラットフォーム、ならびにハードウェアおよびソフトウェアプラットフォームによって形成されるシステムプラットフォームによって実行される、いくつかのアプリケーションプログラムによって形成される。ソフトスイッチ１０の機能性、およびＳ−ＣＳＣＦ１５の機能性は、それぞれ、ソフトスイッチ１０およびＳ−ＣＳＣＦ１５のハードウェアプラットフォーム上における、それらのソフトウェアコンポーネントの実行によって提供される。
【００３６】
ネットワークユーザの登録に関して、ＩＰ電話端末装置のＩＰアドレスが、特にＨＳＳ１３と協働して、コール制御ユニット１０から１５によって決定されかつ処理される。端末装置データは、少なくともＩＰ電話端末装置のＩＰアドレスを含む。好ましくは、それらのデータは、さらに、他のユーザ登録情報も含む。例えば、それらの端末装置データには、端末装置のタイプ、ならびにＩＰ電話端末装置と通信するために使用されなければならない通信プロトコルを指定する端末装置記述子が含まれる。さらに、加入者データが、ソフトスイッチ１０および／またはＳ−ＣＳＣＦ１５に伝送される。
【００３７】
図２は、境界要素（ＢＥ）２０の要素を示す。ＢＥ２０は、ＩＰネットワーク１をアクセスネットワーク２および３に接続する。ＢＥ２０に対するネットワーク１から３の接続は、インタフェースユニット５１から５３によって提供される。インタフェース５１は、ＢＥ２０をＩＰネットワーク１に接続する。インタフェース５２および５３は、ＢＥ２０をアクセスネットワーク２および３に接続する。
【００３８】
ＢＥ２０は、制御ユニット３０、メモリユニット４０、コールコントローラ６０、および従来のタスクユニット７０をさらに含む。制御ユニット３０は、緊急コール制御機能部３１、ローカルコール制御機能部３２、プロキシコール制御機能部３３、告知機能部３４、コーデック仲裁機能部３５、登録機能部３６、およびＣＤＲ機能部３７を含む。
【００３９】
メモリユニット４０は、いくつかの記憶ユニット４１、４２、４３を含む。記憶ユニット４１は、登録情報をローカルでキャッシュするためのキャッシュメモリである。記憶ユニット４２は、ＣＤＲのためのメモリであり、記憶ユニット４３は、コール告知記録のためのメモリである。
【００４０】
従来のタスクユニット７０は、ＮＡＴユニット７１、メディアプロキシ／レプリケーションユニット７２、およびＱｏＳユニット７３を含む。ユニット７１から７３によって提供される機能は、境界要素によって実行される従来のタスクである。従来の機能部７１から７３は、インテリジェント境界要素２０の新たな機能部と協働するように構成される。
【００４１】
制御ユニット３０のコール制御機能部３１から３７は、互いに通信するように構成される。告知機能部３４、登録機能部３６、およびコール詳細記録機能部３７は、メモリユニット４０の対応する記憶ユニット４１、４２、４３の中にデータを格納し、それらのユニット４１、４２、４３からデータを取り出すように構成される。
【００４２】
アクセスネットワーク２および３のいずれかにおける緊急番号をダイヤル呼び出しすることによって緊急コールが開始された場合、その緊急コールは、インタフェース５２および５３のいずれかを介してコールコントローラ６０に伝送され、制御ユニット３０の適切な機能部に、すなわち緊急コール制御機能部３１に転送される。緊急コール制御機能部３１は、例えば、メモリユニット４０の中に保持されているデータベースを参照することにより、宛先パスを決定し、かつアクセスネットワーク２から８のいずれかにおける宛先に緊急コールを転送するように構成される。対応するスイッチング情報を取り出すために、ソフトスイッチ１０またはＳ−ＣＳＣＦ１５と接触する必要は全くない。ＢＥ２０は、スタンドアロンのプロセスにおいて必要なスイッチングを実行する。
【００４３】
例えば、地震が、アクセスネットワーク３とＩＰコアネットワーク１との間の接続を不通にしている。中央コア地域の機能部は、もはや利用できない。ある人が、アクセスネットワーク３に接続された電話機を使用することにより、警察を呼び出すことを所望する。その人の緊急コールは、ＢＥ２０によって受信され、被呼側の警察に転送される。
【００４４】
ローカルコール制御機能部３２およびプロキシコール制御機能部３３は、ＩＰコアネットワーク１の専用ＣＳＣＦエンティティ１４、１５によって、普通、供給されるローカルおよびプロキシコールセッション制御を提供するように構成される（ＣＳＣＦ：コールセッション制御機能）。
【００４５】
ＣＳＣＦは、３ＧＰＰによって標準化されたＩＭＳ内の機能エンティティである（３ＧＰＰ：第３世代パートナーシッププロジェクト）。このため、ＣＳＣＦは、３ＧＰＰ  ＵＭＴＳリファレンスアーキテクチャバージョン５またはそれ以降のバージョンの一部である（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）。ＣＳＣＦのタスクのなかには、ＳＩＰセッションの制御のためのシグナル動作の実行、ＳＩＰセッションの管理、ならびにサービスおよびリソース割り当ての制御のための、他のネットワークエンティティとの調整の実行がある。このため、ＣＳＣＦは、ＳＩＰプロキシ、ＳＩＰサーバ、およびＳＩＰレジスタとして動作する。
【００４６】
ネットワーク１のようなＩＰコアネットワークでは、ＩＰネットワークを介してコールトラフィックを制御するための、以下の３つのタイプのＣＳＣＦが存在する。すなわち、Ｐ−ＣＳＣＦ、Ｉ−ＣＳＣＦ１４、およびＳ−ＣＳＣＦ１５である。Ｐ−ＣＳＣＦは、加入者に関するＩＭＳ内の第１の接触ポイントである。加入者のＵＲＬは、ホームサービスプロバイダを示し、登録メッセージが、ホームネットワークＩ−ＣＳＣＦ１４に転送されることを可能にする。Ｉ−ＣＳＣＦ１４は、そのネットワークの加入者に対する、または別のネットワークのサービスエリア内に現在、位置しているローミング加入者に対するすべての接続に関する、移動ネットワーク内の初期認証接触ポイントである。また、Ｉ−ＣＳＣＦ１４は、ＳＩＰレジスタとしても作用する。Ｓ−ＣＳＣＦ１５は、加入者に対するセッション制御サービスを実行し、コールインテリジェンスおよびビジネス論理を提供する。ユーザが、認証されかつ許可されると、サービスは、ホームネットワークにおけるＳ−ＣＳＣＦ１５によって提供される。
【００４７】
インテリジェント境界要素２０は、ローカルコール制御に必要とされるＣＳＣＦのすべての機能を提供するように構成される。特に、Ｐ−ＣＳＣＦの機能が、インテリジェント境界要素２０に実装される。また、インテリジェント境界要素２０は、ＩＰコアネットワーク１を介する長距離コールの前処理を実行するようにも構成される。特に、ＢＥ２０は、ＮＧＮのコンテキストにおけるソフトスイッチ１０の機能、および／または３ＧＰＰ  ＩＭＳアーキテクチャにおけるＳ−ＣＳＣＦ１５の機能を引き受けるように構成されることが可能である。
【００４８】
また、例えば、ユーザが、登録されていない電話番号をダイヤル呼び出しした場合に、電話ユーザに再生されるコール告知も、ＢＥ２０によって提供されることが可能である。その目的で、告知機能部３４は、コール告知記憶ユニット４３にアクセスして、現在の状況に適したコール告知を取り出すことができる。例えば、登録されていない電話番号にダイヤル呼び出しが行われると、告知機能部３４は、その誤りを認識し、適切なコール告知を取り出し、コール発信者に対するそのコール告知の再生をトリガするように構成されている。
【００４９】
異なるＶｏＩＰネットワークから発信される電話コールは、異なるコードで符号化される可能性がある。したがって、２つのアクセスネットワーク間におけるコールの転送は、コーデック調停を要する。このタスクは、コーデック調停機能部３５によって行われる。コーデック調停機能部３５は、送信元ネットワークからのコールが符号化されているコードとともに、宛先ネットワークにおいて要求されるコードも認識するように構成される。したがって、コーデック調停機能部３５は、その２つの異なるコード間でコーデック調停をもたらす。
【００５０】
また、インテリジェント境界要素２０は、ユーザ登録情報をキャッシュすることにより、ホームロケーションレジスタ（ＨＬＲ）の機能性を引き受けるようにも構成される。前述され、かつコール制御ユニット１０から１５において普通、処理されかつ格納される、ユーザ登録およびロギングデータが、境界要素２０によってキャッシュされる。このタスクは、登録機能部３６によって行われる。登録機能部３６は、登録情報を伝送するシグナルトラフィックを代行受信し、発呼者を登録し、かつその登録情報を登録情報記憶ユニット４１に格納するように構成される。
【００５１】
インターネット電話では、コール詳細レコードは、他のコールの詳細のなかでもとりわけ、コールの発信元アドレスおよび宛先アドレス、コールの開始時刻および終了時刻、コールの持続時間、コールが行われた時間帯、ならびにネットワークを介して加算された使用料、またはオペレータサービスの料金などの、電話コールに関連する情報を含むデータレコードである。
【００５２】
また、インテリジェント境界要素２０は、ＣＤＲ情報を記録することにより、ＣＤＲを保持するようにも構成される。このタスクは、ＣＤＲ機能部３７によって行われる。ＣＤＲ機能部３７は、送信元アドレス、宛先アドレスなどのコール情報を伝送するシグナルトラフィックを代行受信し、日付および時刻情報を追加し、かつそれらの情報を後のアクセスのためにＣＤＲメモリ４２に格納するように構成される。
【図面の簡単な説明】
【００５３】
【図１】境界要素を有する通信システムのブロック図である。
【図２】本発明による境界要素のブロック図である。
【符号の説明】
【００５４】
１  ＩＰネットワーク
２、３、４、５、６、７  アクセスネットワーク
１０  ソフトスイッチ
１１  メディアサーバ
１３  ホーム加入者サーバ
１４  呼び掛けコールセッション制御機能部
１５  サービス提供コールセッション制御機能部
２０、２１、２２  境界要素
１００  次世代通信ネットワーク
【図１】
0005210509.tif 000002
【図２】
0005210509.tif 000003